(57)【特許請求の範囲】
【請求項１】
掃除機本体と、
前記掃除機本体に収容される電動送風機ケースと、
前記電動送風機ケースに収容されるとともに、ファン部と排気口が形成されたモータ部とを有する電動送風機と、
前記電動送風機ケースに前記電動送風機を弾性支持させる複数のコイルバネとを備え、
前記コイルバネは、前記電動送風機ケースの周方向に離間させて設けられ、前記電動送風機の径方向に圧縮力を付勢され、
前記電動送風機ケースは、前記コイルバネの径方向の変位を拘束する一方のケース部材と、前記排気口から排気された空気を前記電動送風機ケース内から吐出させる吐出口が形成された他方のケース部材とから構成され、
前記コイルバネは、前記電動送風機と前記電動送風機ケースとの間の空間であって、前記排気口から前記吐出口を経て前記電動送風機ケース外に流れ出す排気の主流の流線が包含される第一空間以外の第二空間側に配設されることを特徴とする電気掃除機。
【請求項２】
前記吐出口は、
前記吐出口が形成されたケース部材の周面に形成されたことを特徴とする請求項１に記載の電気掃除機。
【請求項３】
前記吐出口は、
前記吐出口が形成されたケース部材の底板部に形成されたことを特徴とする請求項１に記載の電気掃除機。
【請求項４】
前記吐出口は、
前記吐出口が形成されたケース部材の底板部の略全面に形成されたことを特徴とする請求項３に記載の電気掃除機。
【請求項５】
掃除機本体と、
前記掃除機本体に収容される電動送風機ケースと、
前記電動送風機ケースに収容されるとともに、ファン部と排気口が形成されたモータ部とを有する電動送風機と、
前記電動送風機ケースに前記電動送風機を弾性支持させる複数のコイルバネとを備え、
前記コイルバネは、前記電動送風機ケースの周方向に離間させて設けられ、前記電動送風機の径方向に圧縮力を付勢され、
前記電動送風機の長手軸方向には複数列の前記コイルバネが互いに離間させて設けられ、
前記電動送風機ケースは、前記コイルバネの径方向の変位を拘束し、かつ互いに隣り合う前記コイルバネの列の間に前記排気口から排気された空気を前記電動送風機ケース内から吐出させる吐出口が形成された一方のケース部材と、他方のケース部材とから構成され、
前記コイルバネは、前記電動送風機と前記電動送風機ケースとの間の空間であって、前記排気口から前記吐出口を経て前記電動送風機ケース外に流れ出す排気の主流の流線が包含される第一空間以外の第二空間側に配設されることを特徴とする電気掃除機。
【発明の詳細な説明】
【技術分野】
【０００１】
本発明は、電動送風機が電動送風機ケース内に弾性支持された電気掃除機に関する。
【背景技術】
【０００２】
一般に電気掃除機は、電動送風機が収容された掃除機本体と、掃除機本体に連通された集塵ホースと、集塵ホースに連通された手元操作管と、手元操作管に連通された延長管と、延長管に連通された吸込口体とを備える。吸込口体には被清掃面に対向させた吸込開口が形成される。
【０００３】
電気掃除機を運転すると、電動送風機の作動によって掃除機本体内には負圧が発生する。この負圧は集塵ホースと手元操作管と延長管とを介して吸込口体に作用する。そうすると、電気掃除機は吸込口体の吸込開口から空気とともに床などの被掃除面に溜まった塵埃を吸い込んで被掃除面を掃除する。吸込口体に吸い込まれた含塵空気は、掃除機本体に内装された高速分離方式の塵埃除去手段あるいはフィルタによって塵埃が分離されて集塵される。
【０００４】
他方、塵埃が分離された清浄な空気は、電動送風機に吸い込まれて昇圧され、掃除機本体の排気口から吐出される。
【０００５】
ここで、電動送風機は有限な枚数の動翼と静翼とを有するため、作動流体である空気中には必ず不必要な圧力脈動が引き起こされる。この圧力脈動が周囲に伝ぱして騒音になる。また、電動送風機には、サージングなどの流体的な振動と、回転体のアンバランスによる機械的な振動とが生じる。
【０００６】
このような電動送風機の振動を防振する防振支持部の条件は、振幅の小さい位置を充分に柔らかく支持することが望ましい。他方、電動送風機の径方向にはその重量を、軸方向には電動送風機の作動によって生じる吸引力をそれぞれ支持する必要がある。
【０００７】
そこで、特許文献１には、電動送風機の重心近くと掃除機本体との間に架設されたばね部材と、モータと掃除機本体との間に空隙を設けて設置された衝撃吸収用の後部弾性体と、ファン部外周と掃除機本体との間に空隙を設けて設置された衝撃吸収用の前弾性体とを用いて、電動送風機を掃除機本体に弾性支持する電気掃除機が記載される。
【０００８】
図９は、従来の電気掃除機の電動送風機を収容する掃除機本体の部分的な断面図である。
【０００９】
図９に示すように、特許文献１に記載された従来の電気掃除機１１０は、掃除機本体２と、掃除機本体２内に形成された電動送風機収容室１１１と、電動送風機収容室１１１内に収容され、引張弾性支持体１１２によって弾性支持された電動送風機１０とを有する。
【００１０】
引張弾性支持体１１２は、掃除機本体２に設けられた外周リング１１３と、電動送風機１０の重心近くに形成されたファン部１４の端面１１４と取付リブ１１５との間に設けられた内周リング１１６と、一端を外周リング１１３に、他端を内周リング１１６に固定されて引張力が付勢されたバネ材であるコイルバネ１１７とから構成される。電動送風機１０の軸方向と径方向とは、引張弾性支持体１１２によって弾性支持される。
【００１１】
電動送風機１０のファン部１４には、ゴム質で略円筒形状の衝撃吸収用の前弾性体１１８が取り付けられる。掃除機本体２の内壁には、固着された環状の前リブ１１９と、電動送風機１０の軸方向に突設された端リブ１２０とが形成される。前リブ１１９および端リブ１２０と前弾性体１１８との間は空隙１２１によって離間される。
【００１２】
電動送風機１０のモータ部１５の軸受ハウジング部６０には、ゴム質で円筒形状の衝撃吸収用の後部弾性体１２５が取り付けられる。後部弾性体１２５の周囲には、掃除機本体２の内壁から後リブ１２６が突設される。後リブ１２６と後部弾性体１２５との間は空隙１２７によって離間される。
【００１３】
掃除機本体２内に形成された集塵部１２８と電動送風機収容室１１１との仕切り板１２９には、電動送風機１０の吸気口１７に連通された孔を有する円板形状のシール１３０が設けられる。シール１３０に形成された孔の縁部には円筒ツバ部１３１が形成され電動送風機１０の吸気口１７の周縁部に当接される。
【００１４】
図１０は、従来の電気掃除機の電動送風機を弾性支持する弾性支持体の電動送風機の軸方向の特性を示す図である。
【００１５】
図１０に示すように、引張弾性支持体１１２のコイルバネ１１７によって弾性支持された電動送風機１０は、その軸方向に加わる力と変位との関係が非線形な特性になる。すなわち、電動送風機１０の軸方向に加えられた微小な振動に対してはコイルバネ１１７によって柔軟に支持され、電動送風機１０の吸引力によって生じる静的な力や掃除機本体２に落下衝撃などによる大きな力に対しては強く支持される。
【特許文献１】特開平５−８４１９４号公報
【発明の開示】
【発明が解決しようとする課題】
【００１６】
特許文献１に記載の従来の電気掃除機の電動送風機は、引張力を付勢されたコイルバネによって掃除機本体内に引張弾性支持され、その径方向に働く力は柔軟に支持され、他方その軸方向に働く力は軸方向の変位の増加に伴い強く支持される。したがって、電動送風機の作動によって生じる振動が掃除機本体に伝達されるのを防ぐことができる。
【００１７】
ここで、防振の観点では、防振支持部を構成するコイルバネのバネ定数は小さいことが好ましい。
【００１８】
しかし、特許文献１に記載の従来の電気掃除機の電動送風機では、コイルバネに引張力を付勢させるためにコイルバネを自由長よりも十分に伸張させる必要がある。したがって、電動送風機収容室の壁面と電動送風機との間隔を十分に離間させる必要があり、電気掃除機を小型化できない。
【００１９】
他方、電動送風機の作動によって電動送風機収容室には空気が排出される。この電動送風機の排気の流れの中にコイルバネのような障害物が存すると、障害物の周囲では空気の圧力変化が生じて騒音を生じる。また、この空気の圧力変化によってコイルバネに振動が励起されると、防振支持部であるところのコイルバネによって電気掃除機が加振される虞がある。
【００２０】
ここで、例えば電動送風機を電動送風機ケースに収容し、この電動送風機ケースを電気掃除機本体内に収容することで電動送風機の作動による騒音と振動とを防音、防振する場合があり、この場合であっても電動送風機収容室と同じ課題を有する。
【００２１】
本発明は、掃除機本体に収容される電動送風機を弾性支持して、電動送風機の作動による騒音と振動を防音、防振でき、かつ電動送風機が収容される空間を小型化できる電気掃除機を提案する。
【課題を解決するための手段】
【００２２】
前記の課題を解決するため本発明では、掃除機本体と、前記掃除機本体に収容される電動送風機ケースと、前記電動送風機ケースに収容されるとともに、ファン部と排気口が形成されたモータ部とを有する電動送風機と、前記電動送風機ケースに前記電動送風機を弾性支持させる複数のコイルバネとを備え、前記コイルバネは、前記電動送風機ケースの周方向に離間させて設けられ、前記電動送風機の径方向に圧縮力を付勢され、前記電動送風機ケースは、前記コイルバネの径方向の変位を拘束する一方のケース部材と、前記排気口から排気された空気を前記電動送風機ケース内から吐出させる吐出口が形成された他方のケース部材とから構成され、前記コイルバネは、前記電動送風機と前記電動送風機ケースとの間の空間であって、前記排気口から前記吐出口を経て前記電動送風機ケース外に流れ出す排気の主流の流線が包含される第一空間以外の第二空間側に配設されることを特徴とする。
【００２３】
また、本発明では、掃除機本体と、前記掃除機本体に収容される電動送風機ケースと、前記電動送風機ケースに収容されるとともに、ファン部と排気口が形成されたモータ部とを有する電動送風機と、前記電動送風機ケースに前記電動送風機を弾性支持させる複数のコイルバネとを備え、前記コイルバネは、前記電動送風機ケースの周方向に離間させて設けられ、前記電動送風機の径方向に圧縮力を付勢され、前記電動送風機の長手軸方向には複数列の前記コイルバネが互いに離間させて設けられ、前記電動送風機ケースは、前記コイルバネの径方向の変位を拘束し、かつ互いに隣り合う前記コイルバネの列の間に前記排気口から排気された空気を前記電動送風機ケース内から吐出させる吐出口が形成された一方のケース部材と、他方のケース部材とから構成され、前記コイルバネは、前記電動送風機と前記電動送風機ケースとの間の空間であって、前記排気口から前記吐出口を経て前記電動送風機ケース外に流れ出す排気の主流の流線が包含される第一空間以外の第二空間側に配設されることを特徴とする。
【発明の効果】
【００２４】
本発明によれば、掃除機本体に収容される電動送風機を弾性支持して、電動送風機の作動による騒音と振動を防音、防振でき、かつ電動送風機が収容される空間を小型化できる電気掃除機を提案することができる。
【発明を実施するための最良の形態】
【００２５】
以下、本発明に係る電気掃除機の実施の形態について、図面を参照して説明する。
【００２６】
［第１の実施形態］
本発明に係る電気掃除機の第１実施形態について図１から図５を参照して説明する。
【００２７】
図１は、本発明の第１実施形態に係る電気掃除機の外観を示した図である。
【００２８】
図１に示すように、本実施形態に係る電気掃除機１は、掃除機本体２と、掃除機本体２に設けられた接続口２ａに一端が着脱白在に接続された集塵ホース３と、集塵ホース３の他端に一端が設けられた手元操作管４と、手元操作管４の他端に一端が着脱自在に接続された延長管５と、延長管５の他端に着脱自在に接続された吸込口体６とを備える。
【００２９】
手元操作管４には操作部４ａが設けられる。操作部４ａは電気掃除機１の運転を停止させる切スイッチ４ｂや電気掃除機１の運転を開始させる起動スイッチ４ｃなどを有する。
【００３０】
吸込口体６の下面には、被清掃面に対向させた吸込開口（図示省略）が形成される。この吸込開口は、吸込口体６内部に形成された吸込室（図示省略）に連通される。この吸込開口は延長管５と手元操作管４と集塵ホース３とを介して接続口２ａから掃除機本体２内へ連通される。
【００３１】
掃除機本体２には接続口２ａに連通された塵埃分離集塵ユニット（図示省略）と、この塵埃分離集塵ユニットを介して吸込口体６に負圧を作用させる電動送風機１０とが収容される。また掃除機本体２には電動送風機１０の排気を吐出させる本体排気口（図示省略）が形成される。
【００３２】
電気掃除機１を運転すると、電動送風機１０の作動によって掃除機本体２内には負圧が作用する。この負圧は接続口２ａから集塵ホース３と手元操作管４と延長管５とを介して吸込口体６に作用する。そうすると電気掃除機１は吸込口体６の吸込開口からから空気とともに床などの被掃除面に溜まった塵埃を吸い込んで被掃除面を掃除する。吸込口体６に吸い込まれた含塵空気は、掃除機本体２に収容された塵埃分離集塵ユニットによって塵埃が分離されて集塵される。
【００３３】
他方、塵埃が分離された清浄な空気は、電動送風機１０に吸い込まれて昇圧され、掃除機本体２の本体排気口から吐出される。
【００３４】
図２は、本発明の第１実施形態に係る電気掃除機の電動送風機を収容する電動送風機ケースを部分的に切り欠いて示した斜視図である。
【００３５】
図２に示すように、電気掃除機１の電動送風機１０は、掃除機本体２に収容された電動送風機ケース１２内に弾性支持体１３によって圧縮弾性支持される。
【００３６】
電動送風機１０は、負圧を発生させる遠心ファン（図示省略）が収容されたファン部１４と、遠心ファンを駆動させるモータ（図示省略）が収容されたモータ部１５とから構成される。
【００３７】
ファン部１４は、吸気口１７を有する有底円筒形状のファンカバー１８に覆われる。吸気口１７はファンカバー１８の底板部１９の略中央に配設され、ファンカバー１８に収容された遠心ファンの吸込口（図示省略）に対向させて形成される。吸気口１７にはファン部１４内に連通された孔を有する整流部材２１が設けられる。
【００３８】
なお、説明を容易にするために以下、図２に示す姿勢を基本姿勢とし、実線矢Ｘを前方、実線矢Ｙを左方、実線矢Ｚを上方として前後、上下および左右の方向説明を行う。
【００３９】
電動送風機ケース１２はＡＢＳなどの樹脂によって形成され、有底円筒形状の吸気側ケース部材２２と、有底円筒形状の排気側ケース部材２３とから構成される。
【００４０】
吸気側ケース部材２２の底板部にあたる吸気口側壁部２４はシール部材取付孔２５を有する。シール部材取付孔２５には掃除機本体２と電動送風機１０の吸気口１７とを連通させる孔を有するシール部材２７が嵌め込まれる。
【００４１】
吸気側ケース部材２２の開口側端部２８と、排気側ケース部材２３の開口側端部２９には、それぞれ嵌合溝３０、３１が形成され嵌め合わされるとともに、吸気側ケース部材２２の開口側端部２８に形成された吸気側ケース結合部３２に、排気側ケース部材２３の開口側端部２９に形成された排気側ケース結合部３３が螺着されて吸気側ケース部材２２と排気側ケース部材２３とが一体的に結合される。
【００４２】
吸気側ケース部材２２の内壁部３４には、排気側ケース部材２３の嵌合溝３１に対向させて円環状の段差面３８を有する弾性支持体嵌合凹部３９が形成される。弾性支持体１３は、弾性支持体嵌合凹部３９に嵌め込まれ、吸気側ケース部材２２の段差面３８と、排気側ケース部材２３の嵌合溝３１との間に挟持される。
【００４３】
したがって、吸気側ケース部材２２の周面４０に形成された弾性支持体嵌合凹部３９によって弾性支持体１３の径方向変位が拘束され、吸気側ケース部材２２の段差面３８と排気側ケース部材２３の嵌合溝３１とによって弾性支持体１３の軸方向変位が拘束される。
【００４４】
シール部材２７は、電動送風機１０の軸方向変位を弾性支持して振動を絶縁する軸方向防振支持部である。すなわち、シール部材２７は電動送風機１０の作動によって生じる吸引力に抗して電動送風機１０の軸方向変位を支持し、かつ電動送風機１０の作動によって生じる軸方向の振動を防振する。シール部材２７は、電動送風機１０の上流側に大口径開口部４１を有する第１の截頭円錐中空体部４２と、整流部材２１が嵌め込まれた筒体部４３と、吸気側ケース部材２２のシール部材取付孔２５に嵌め込まれた嵌合部４４と、電動送風機１０のファンカバーに当接された大口径開口部４５を有する第２の截頭円錐中空体部４６とから構成される。
【００４５】
第１の截頭円錐中空体部４２の大口径開口部４１は塵埃分離集塵ユニットに連通された掃除機本体２の連通路（図示省略）の周縁部に当接される。
【００４６】
第１の截頭円錐中空体部４２の小径部４７には電動送風機１０の吸気口１７に連通された孔を有する環状の輪体部４８が形成される。また、第１の截頭円錐中空体部４２の小径部４７の縁に沿って、略円筒形状の筒体部４３が電動送風機ケース１２内部に向かって延設される。
【００４７】
第１の截頭円錐中空体部４２の側壁部４９には嵌合部４４が延設される。嵌合部４４には、吸気口側壁部２４のシール部材取付孔２５に嵌め込まれた周方向嵌合溝部５０と、シール部材取付孔２５の周縁から電動送風機ケース１２内部に向かって延設されたシール部材取付リブ５１に嵌め込まれた軸方向嵌合溝部５２とが形成される。嵌合部４４には第２の截頭円錐中空体部４６の小径部５３が連続して形成される。
【００４８】
すなわち、シール部材２７は、掃除機本体２の連通路と電動送風機１０の吸気口１７とが連通されるケース部吸込口５４を構成するとともに、掃除機本体２の連通路および電動送風機１０の吸気口１７との当接部をそれぞれ封止する。
【００４９】
図３は、本発明の第１実施形態に係る電気掃除機の電動送風機を収容する電動送風機ケースを部分的に切り欠いて示した斜視図である。
【００５０】
図３に示すように、電動送風機１０のモータ部１５は、排気口５５を有する有底円筒形状のモータカバー５７に覆われる。排気口５５はモータカバー５７の周面５８の後端部、すなわち電動送風機１０の後端部に配設される。モータカバー５７の底板部５９の略中央にはモータのロータ（図示省略）を回動可能に軸支する軸受（図示省略）が収容された軸受ハウジング部６０が形成される。モータカバー５７の前端側には電動送風機１０の重心が位置する。
【００５１】
排気側ケース部材２３の底板部にあたる排気口側壁部６２には軸受ハウジング挿入凸部６３が突設される。軸受ハウジング挿入凸部６３には電動送風機１０のモータ部１５の軸受ハウジング部６０が離間されて挿入される。軸受ハウジング挿入凸部６３は弾性な衝撃緩衝部材６４によって覆われる。衝撃緩衝部材６４は、掃除機本体２の落下などによる過度の衝撃力が電動送風機ケース１２に作用した際に、掃除機本体２の内壁（図示省略）と電動送風機ケース１２との間で生じる衝撃力を緩衝する。
【００５２】
弾性支持体１３は、電動送風機１０が発生する振動を絶縁する防振支持部であって、電動送風機ケース１２の内壁部３４に設けられた外周リング６５と、電動送風機１０の重心近くに設けられた内周リング６６と、一端を外周リング６５に、他端を内周リング６６に固定されて圧縮力が付勢された弾性支持部材であるコイルバネ６７とから構成される。電動送風機１０の軸方向と径方向とは、弾性支持体１３によって電動送風機ケース１２内に弾性支持される。
【００５３】
外周リング６５はＡＢＳなどの樹脂を用いて形成された略Ｌ字状の断面を有する環状体である。また、外周リング６５は吸気側ケース部材２２の弾性支持体嵌合凹部３９の内周に周設されたリング部６９と、リング部６９の端部から径方向内側に突設された補強リブ部７０とから構成される。リング部６９の内周面には、その径方向内側に向けて凸部７１が突設される。補強リブ部７０は吸気側ケース部材２２の段差面３８に当接されたリング部６９の端部に配設される。
【００５４】
内周リング６６はＡＢＳなどの樹脂を用いて形成された帯状体である。電動送風機１０のモータ部１５の外周に周設されたリング部７３を有する。リング部７３の外周面には、その径方向外側に向けて凸部７４が突設される。
【００５５】
リング部７３には、内周リング６６をモータ部１５の外周に嵌め込む際の分割部７５が形成され、分割部７５にはリング部７３を締め付けるフランジ部７６が形成される。また、リング部７３には、電動送風機１０のブラシ機構７７に係止させて内周リング６６の周方向変位を拘束する係止凹部７８が形成される。
【００５６】
外周リング６５に設けられた凸部７１と、内周リング６６に設けられた凸部７４とは、離間させて対向される。
【００５７】
コイルバネ６７には圧縮力が付勢され、その一端が外周リング６５の凸部７１に嵌め込まれ、他端が内周リング６６の凸部７４に嵌め込まれて外周リング６５と内周リング６６との間に架設される。コイルバネ６７は２本以上の所要の本数、好ましくは３本以上が用いられ、本実施形態では、例えば３本のコイルバネ６７が電動送風機ケース１２の周方向に略等間隔に離間され、放射状に設けられる。それぞれのコイルバネ６７の中心軸線は電動送風機１０の重心近傍で交わるよう配設される。
【００５８】
すなわち、電動送風機１０は、電動送風機１０の径方向に圧縮力を付勢されたコイルバネ６７によって内周リング６６と外周リング６５とを介して電動送風機ケース１２内に弾性支持される。コイルバネ６７の代わりに、外周リング６５と内周リング６６との間に圧縮力を付勢可能な板バネ、トーションバーなどの他の形式のバネや弾性体を用いて弾性支持体１３を構成しても良い。
【００５９】
弾性支持体１３は、コイルバネ６７に圧縮力を作用させて電動送風機１０を弾性支持するため、同じ線径、外径および巻数で構成されたコイルバネに引張力を作用させて電動送風機１０を弾性支持する場合に比べて、外周リング６５と内周リング６６との離間距離を狭く構成することができる。すなわち、電動送風機１０と電動送風機ケース１２との離間距離を極力狭く構成し、電動送風機ケース１２の外径を小さくできるので電動送風機ケース１２の小型化、軽量化が可能になる。
【００６０】
電動送風機ケース１２にはケース部吐出口７９が形成される。電動送風機１０の排気口５５から電動送風機ケース１２内に排気された空気は、ケース部吐出口７９から電動送風機ケース１２外へ排気される。
【００６１】
ケース部吐出口７９は、排気側ケース部材２３の周面８０に形成された排気側ケース凹部８２と、吸気側ケース部材２２の開口側端部２８とから構成される。すなわち、ケース部吐出口７９は排気側ケース部材２３に形成される。
【００６２】
ケース部吐出口７９の長手軸方向の開口幅は、排気側ケース部材２３の開口側端部２９から排気口側壁部６２の縁部に亘って形成される。
【００６３】
すなわち電動送風機ケース１２は、弾性支持体１３の径方向の変位が拘束される弾性支持体嵌合凹部３９を有する吸気側ケース部材２２と、ケース部吐出口７９を有する排気側ケース部材２３とから構成される。
【００６４】
したがって、電動送風機ケース１２では、吸気側ケース部材２２の弾性支持体嵌合凹部３９に弾性支持体１３が嵌め込まれた後、排気側ケース部材２３を吸気側ケース部材２２に結合して一体化することができるので、組立性がよく、かつ排気側ケース部材２３は吸気側ケース部材２２に比べて低剛性にできる。そうすると、電動送風機ケース１２の全体について軽量化できる。
【００６５】
図４は、本発明の第１実施形態に係る電気掃除機の電動送風機および電動送風機ケースの排気側ケース部材を部分的に切り欠いて示した背面図である。
【００６６】
図４に示すように、電動送風機１０のモータカバー５７の周面５８には、複数の排気口５５が放射状に形成される。具体的には、排気口５５は、電動送風機ケース１２の右斜め上方、右斜め下方、左斜め上方、左斜め下方にそれぞれ等間隔に離間させて形成される。
【００６７】
電動送風機ケース１２のケース部吐出口７９の周方向の開口幅は、外周リング６５と内周リング６６との間に架設された複数のコイルバネ６７のうち、互いに隣り合う一対のコイルバネ６７に挟まれた弧の略中央を中心に、それぞれのコイルバネ６７から略等しく離間されて所要に設定される。すなわち、ケース部吐出口７９の長手軸方向と周方向とのそれぞれの開口幅からなる開口面積は、電動送風機１０の出力に応じて所要に設定される。
【００６８】
本実施形態に係る電動送風機ケース１２では、例えば、弾性支持体１３の有する３本のコイルバネ６７が周方向に略等間隔に離間されて設けられる。上下方向に沿って架設されたコイルバネ６７ａを基準にすると、それぞれのコイルバネ６７が略１２０度毎に離間されて架設され、下方に位置する２本のコイルバネ６７ｂからなる弧の略中央となる電動送風機ケース１２の側壁部８３の下方側にケース部吐出口７９が形成される。
【００６９】
図５は、本発明の第１実施形態に係る電気掃除機の電動送風機を収容する電動送風機ケースの断面図である。
【００７０】
図５に示すように、電動送風機１０の外面と電動送風機ケース１２の内面との間の空間は、電動送風機１０の排気口５５からケース部吐出口７９を経て電動送風機ケース１２外に流れ出す排気の主流の流線が包含される空間Ｓと、この排気の主流の流線が包含されない空間Ｓｏとに分けられる。
【００７１】
弾性支持体１３のコイルバネ６７は、常に排気の主流の流線が包含されない空間Ｓｏ側に配設される。すなわち、電動送風機１０の排気口５５から排気されて電動送風機ケース１２内に流入し、ケース部吐出口７９から電動送風機ケース１２外に流れ出す排気の主流の外側にコイルバネ６７が配設される。
【００７２】
本実施形態に係る電気掃除機１では、電動送風機１０の作動によって吸気口１７から吸引された空気は、電動送風機１０の内部を流動し、モータ部１５を冷却しつつ排気口５５から電動送風機ケース１２内に流れ出し、電動送風機ケース１２内の圧力を上昇させる。電動送風機ケース１２のケース部吐出口７９の下流側は掃除機本体２に形成された本体排気口を介して大気に開放される。したがって、電動送風機ケース１２内に流れ出した電動送風機１０の排気の主流は、電動送風機ケース１２の内面と電動送風機１０の外面によって囲まれ、排気口５５とケース部吐出口７９とを包含する空間Ｓに形成される。特に、電動送風機ケース１２は円筒状に形成されているので、排気は空間Ｓの電動送風機ケース１２の内壁に沿って流れてケース部吐出口７９から排出される（コアンダ効果）。他方、電動送風機ケース１２内の空間Ｓを除いた空間Ｓｏには電動送風機１０の排気はほとんど流れ込まない。
【００７３】
すなわち、電動送風機ケース１２内の空間Ｓを流れる電動送風機１０の排気風の主流に比べて、空間Ｓｏに包含される弾性支持体１３のコイルバネ６７の周囲には流速の早い空気の流れが生じない。
【００７４】
したがって、本実施形態に係る電気掃除機１によれば、コイルバネ６７の周囲の空気の圧力変化に起因する騒音の発生を効率的に抑制できる。また、この空気の圧力変化によってコイルバネ６７に振動が励起されることもない。
【００７５】
また、本実施形態に係る電気掃除機１によれば、電動送風機ケース１２の組立性の向上と、低剛性化による軽量化を図ることができる。
【００７６】
したがって、本実施形態に係る電気掃除機１によれば、掃除機本体２に収容される電動送風機１０を弾性支持して、電動送風機１０の作動による騒音と振動を防音、防振でき、かつ電動送風機１０が収容される空間を小型化できる。
【００７７】
［第２の実施形態］
本発明に係る電気掃除機の第２実施形態について図６を参照して説明する。
【００７８】
なお、本実施形態において第１実施形態と同じ構成には同一の符号を付し、重複する説明は省略する。
【００７９】
図６は、本発明の第２実施形態に係る電気掃除機の電動送風機を収容する電動送風機ケースの断面図である。
【００８０】
図６に示すように、本実施形態に係る電気掃除機１Ａの電動送風機ケース１２Ａは、略有底円筒状に形成された排気側ケース部材２３の底板部に当たる排気口側壁部６２にケース部吐出口７９Ａを有する。すなわち、ケース部吐出口７９Ａは排気側ケース部材２３に形成される。ケース部吐出口７９Ａは、例えば４カ所が設けられ、円盤状の排気口側壁部６２の周方向に略等間隔に離間させて開口される。ケース部吐出口７９Ａの開口面積は、電動送風機１０の出力に応じて所要に設定される。
【００８１】
本実施形態に係る電気掃除機１Ａでは、電動送風機１０の作動によって吸気口１７から吸引された空気は、電動送風機１０の内部を流動し、モータ部１５を冷却しつつ排気口５５から電動送風機ケース１２Ａ内に流れ出し、電動送風機ケース１２Ａ内の圧力を上昇させる。電動送風機ケース１２Ａのケース部吐出口７９Ａの下流側は掃除機本体２に形成された本体排気口を介して大気に開放される。したがって、電動送風機ケース１２Ａ内に流れ出した電動送風機１０の排気の主流は、電動送風機ケース１２Ａの内面と電動送風機１０の外面によって囲まれ、排気口５５とケース部吐出口７９Ａとを包含する空間Ｓに形成される。他方、電動送風機ケース１２Ａ内の空間Ｓを除いた空間Ｓｏには電動送風機１０の排気はほとんど流れ込まない。
【００８２】
すなわち、電動送風機ケース１２Ａ内の空間Ｓを流れる電動送風機１０の排気風の主流に比べて、空間Ｓｏに包含される弾性支持体１３のコイルバネ６７の周囲には流速の早い空気の流れが生じない。
【００８３】
したがって、本実施形態に係る電気掃除機１Ａによれば、コイルバネ６７の周囲の空気の圧力変化に起因する騒音の発生を効率的に抑制できる。また、この空気の圧力変化によってコイルバネ６７に振動が励起されることもない。
【００８４】
また、本実施形態に係る電気掃除機１Ａによれば、電動送風機ケース１２Ａの組立性の向上と、低剛性化による軽量化を図ることができる。
【００８５】
したがって、本実施形態に係る電気掃除機１Ａによれば、掃除機本体２に収容される電動送風機１０を弾性支持して、電動送風機１０の作動による騒音と振動を防音、防振でき、かつ電動送風機１０が収容される空間を小型化できる。
【００８６】
［第３の実施形態］
本発明に係る電気掃除機の第３実施形態について図７を参照して説明する。
【００８７】
なお、本実施形態において第１実施形態と同じ構成には同一の符号を付し、重複する説明は省略する。
【００８８】
図７は、本発明の第３実施形態に係る電気掃除機の電動送風機を収容する電動送風機ケースの断面図である。
【００８９】
図７に示すように、本実施形態に係る電気掃除機１Ｂの電動送風機ケース１２Ｂは、略有底円筒状に形成された排気側ケース部材２３の底板部に当たる排気口側壁部６２にケース部吐出口７９Ｂを有する。すなわち、ケース部吐出口７９Ｂは排気側ケース部材２３に形成される。ケース部吐出口７９Ｂは、円盤状の排気口側壁部６２の略全面に開口される。
【００９０】
本実施形態に係る電気掃除機１Ｂでは、電動送風機１０の作動によって吸気口１７から吸引された空気は、電動送風機１０の内部を流動し、モータ部１５を冷却しつつ排気口５５から電動送風機ケース１２Ｂ内に流れ出し、電動送風機ケース１２Ｂ内の圧力を上昇させる。電動送風機ケース１２Ｂのケース部吐出口７９Ｂの下流側は掃除機本体２に形成された本体排気口を介して大気に開放される。したがって、電動送風機ケース１２Ｂ内に流れ出した電動送風機１０の排気の主流は、電動送風機ケース１２Ｂの内面と電動送風機１０の外面によって囲まれ、排気口５５とケース部吐出口７９Ｂとを包含する空間Ｓに形成される。他方、電動送風機ケース１２Ｂ内の空間Ｓを除いた空間Ｓｏには電動送風機１０の排気はほとんど流れ込まない。
【００９１】
すなわち、電動送風機ケース１２Ｂ内の空間Ｓを流れる電動送風機１０の排気風の主流に比べて、空間Ｓｏに包含される弾性支持体１３のコイルバネ６７の周囲には流速の早い空気の流れが生じない。
【００９２】
したがって、本実施形態に係る電気掃除機１Ｂによれば、コイルバネ６７の周囲の空気の圧力変化に起因する騒音の発生を効率的に抑制できる。また、この空気の圧力変化によってコイルバネ６７に振動が励起されることもない。
【００９３】
また、本実施形態に係る電気掃除機１Ｂによれば、電動送風機ケース１２Ｂの組立性の向上と、低剛性化による軽量化を図ることができる。
【００９４】
したがって、本実施形態に係る電気掃除機１Ｂによれば、掃除機本体２に収容される電動送風機１０を弾性支持して、電動送風機１０の作動による騒音と振動を防音、防振でき、かつ電動送風機１０が収容される空間を小型化できる。
【００９５】
［第４の実施形態］
本発明に係る電気掃除機の第４実施形態について図８を参照して説明する。
【００９６】
なお、本実施形態において第１実施形態と同じ構成には同一の符号を付し、重複する説明は省略する。
【００９７】
図８は、本発明の第４実施形態に係る電気掃除機の電動送風機を収容する電動送風機ケースの断面図である。
【００９８】
図８に示すように、本実施形態に係る電気掃除機１Ｃの電動送風機ケース１２Ｃは、電動送風機１０を弾性支持する複数列の弾性支持体１３を備える。具体的には、電動送風機ケース１２Ｃは、電動送風機１０のモータ部１５の前端部と、後端部とをそれぞれ弾性支持する２組の弾性支持体１３が離間させて設けられる。
【００９９】
吸気側ケース部材２２の内壁部３４には、排気側ケース部材２３の嵌合溝３１に対向させて円環状の段差面３８を有する弾性支持体嵌合凹部３９が形成される。それぞれの弾性支持体１３は、円筒スペーサ８６によって離間されて弾性支持体嵌合凹部３９に嵌め込まれ、吸気側ケース部材２２の段差面３８と、排気側ケース部材２３の嵌合溝３１との間に挟持される。
【０１００】
したがって、吸気側ケース部材２２の周面４０に形成された弾性支持体嵌合凹部３９によって弾性支持体１３の径方向変位が拘束され、吸気側ケース部材２２の段差面３８と排気側ケース部材２３の嵌合溝３１と円筒スペーサ８６とによって弾性支持体１３の軸方向変位が拘束される。
【０１０１】
電動送風機１０の排気口５５はモータ部１５の周面５８の長手軸方向略中央に放射状に開口される。
【０１０２】
ケース部吐出口７９Ｃは、互いに隣り合う弾性支持体１３の間に設けられ、円筒スペーサ８６に形成された円筒スペーサ部開口８７と、吸気側ケース部材２２の弾性支持体嵌合凹部３９に形成された吸気側ケース部開口８８とから構成される。ケース部吐出口７９Ｃは、例えば４カ所が設けられ、電動送風機１０の排気口５５に対応させつつ周方向に略等間隔に離間させて開口される。すなわち、電動送風機１０の排気口５５から排気される空気がケース部吐出口７９Ｃに到達するまでの間に弾性支持体１３を横切らないように形成される。ケース部吐出口７９Ｃの開口面積は、電動送風機１０の出力に応じて所要に設定される。
【０１０３】
電動送風機ケース１２Ｃでは、吸気側ケース部材２２の弾性支持体嵌合凹部３９に弾性支持体１３と円筒スペーサ８６と弾性支持体１３とが順次に嵌め込まれた後、排気側ケース部材２３を吸気側ケース部材２２に結合して一体化することができるので、組立性がよく、かつ排気側ケース部材２３は吸気側ケース部材２２に比べて低剛性にできる。そうすると、電動送風機ケース１２の全体について軽量化できる。
【０１０４】
本実施形態に係る電気掃除機１Ｃでは、電動送風機１０の作動によって吸気口１７から吸引された空気は、電動送風機１０の内部を流動し、モータ部１５を冷却しつつ排気口５５から電動送風機ケース１２Ｃ内に流れ出し、電動送風機ケース１２Ｃ内の圧力を上昇させる。電動送風機ケース１２Ｃのケース部吐出口７９Ｃの下流側は掃除機本体２に形成された本体排気口を介して大気に開放される。したがって、電動送風機ケース１２Ｃ内に流れ出した電動送風機１０の排気の主流は、電動送風機ケース１２Ｃの内面と電動送風機１０の外面によって囲まれ、排気口５５とケース部吐出口７９Ｃとを包含する空間Ｓに形成される。特に、電動送風機ケース１２Ｃは円筒状に形成されているので、排気は空間Ｓの電動送風機ケース１２Ｃの内壁に沿って流れてケース部吐出口７９Ｃから排出される（コアンダ効果）。他方、電動送風機ケース１２Ｃ内の空間Ｓを除いた空間Ｓｏには電動送風機１０の排気はほとんど流れ込まない。
【０１０５】
すなわち、電動送風機ケース１２Ｃ内の空間Ｓを流れる電動送風機１０の排気風の主流に比べて、空間Ｓｏに包含される弾性支持体１３のコイルバネ６７の周囲には流速の早い空気の流れが生じない。
【０１０６】
したがって、本実施形態に係る電気掃除機１Ｃによれば、コイルバネ６７の周囲の空気の圧力変化に起因する騒音の発生を効率的に抑制できる。また、この空気の圧力変化によってコイルバネ６７に振動が励起されることもない。
【０１０７】
また、本実施形態に係る電気掃除機１Ｃによれば、電動送風機ケース１２Ｃの組立性の向上と、低剛性化による軽量化を図ることができる。
【０１０８】
したがって、本実施形態に係る電気掃除機１Ｃによれば、掃除機本体２に収容される電動送風機１０を弾性支持して、電動送風機１０の作動による騒音と振動を防音、防振でき、かつ電動送風機１０が収容される空間を小型化できる。
【図面の簡単な説明】
【０１０９】
【図１】本発明の第１実施形態に係る電気掃除機の外観を示した図。
【図２】本発明の第１実施形態に係る電気掃除機の電動送風機を収容する電動送風機ケースを部分的に切り欠いて示した斜視図。
【図３】本発明の第１実施形態に係る電気掃除機の電動送風機を収容する電動送風機ケースを部分的に切り欠いて示した斜視図。
【図４】本発明の第１実施形態に係る電気掃除機の電動送風機および電動送風機ケースの排気側ケース部材を部分的に切り欠いて示した背面図。
【図５】本発明の第１実施形態に係る電気掃除機の電動送風機を収容する電動送風機ケースの断面図。
【図６】本発明の第２実施形態に係る電気掃除機の電動送風機を収容する電動送風機ケースの断面図。
【図７】本発明の第３実施形態に係る電気掃除機の電動送風機を収容する電動送風機ケースの断面図。
【図８】本発明の第４実施形態に係る電気掃除機の電動送風機を収容する電動送風機ケースの断面図。
【図９】従来の電気掃除機の電動送風機を収容する掃除機本体の部分的な断面図。
【図１０】従来の電気掃除機の電動送風機を弾性支持する弾性支持体の電動送風機の軸方向の特性を示す図。
【符号の説明】
【０１１０】
１、１Ａ、１Ｂ、１Ｃ  電気掃除機
２  掃除機本体
２ａ  接続口
３  集塵ホース
４  手元操作管
５  延長管
６  吸込口体
４ａ  操作部
４ｂ  切スイッチ
４ｃ  起動スイッチ
１０  電動送風機
１２、１２Ａ、１２Ｂ、１２Ｃ  電動送風機ケース
１３  弾性支持体
１４  ファン部
１５  モータ部
１７  吸気口
１８  ファンカバー
１９  底板部
２１  整流部材
２２  吸気側ケース部材
２３  排気側ケース部材
２４  吸気口側壁部
２５  シール部材取付孔
２７  シール部材
２８  開口側端部
２９  開口側端部
３０  嵌合溝
３１  嵌合溝
３２  吸気側ケース結合部
３３  排気側ケース結合部
３４  内壁部
３８  段差面
３９  弾性支持体嵌合凹部
４０  周面
４１  大口径開口部
４２  第１の截頭円錐中空体部
４３  筒体部
４４  嵌合部
４５  大口径開口部
４６  第２の截頭円錐中空体部
４７  小径部
４８  輪体部
４９  側壁部
５０  周方向嵌合溝部
５１  シール部材取付リブ
５２  軸方向嵌合溝部
５３  小径部
５４  ケース部吸込口
５５  排気口
５７  モータカバー
５８  周面
５９  底板部
６０  軸受ハウジング部
６２  排気口側壁部
６３  軸受ハウジング挿入凸部
６４  衝撃緩衝部材
６５  外周リング
６６  内周リング
６７  コイルバネ
６９  リング部
７０  補強リブ部
７１  凸部
７３  リング部
７４  凸部
７５  分割部
７６  フランジ部
７７  ブラシ機構
７８  係止凹部
７９、７９Ａ、７９Ｂ、７９Ｃ  ケース部吐出口
８０  周面
８２  排気側ケース凹部
８３  側壁部
８４  球面座
８６  円筒スペーサ
８７  円筒スペーサ部開口
８８  吸気側ケース部開口
１１０  電気掃除機
１１１  電動送風機収容室
１１２  引張弾性支持体
１１３  外周リング
１１４  端面
１１５  取付リブ
１１６  内周リング
１１７  コイルバネ
１１８  前弾性体
１１９  前リブ
１２０  端リブ
１２１  空隙
１２５  後部弾性体
１２６  後リブ
１２７  空隙
１２８  集塵部
１２９  仕切り板
１３０  シール
１３１  円筒ツバ部
【図１】
0005159378.tif 000002
【図２】
0005159378.tif 000003
【図３】
0005159378.tif 000004
【図４】
0005159378.tif 000005
【図５】
0005159378.tif 000006
【図６】
0005159378.tif 000007
【図７】
0005159378.tif 000008
【図８】
0005159378.tif 000009
【図９】
0005159378.tif 000010
【図１０】
0005159378.tif 000011